(57)【要約】【課題】モータによって回転駆動されるギヤ列と、モータの回転軸の回転方向と回転角を検出するための一対のＰＩセンサを、ハウジングに対して固定される単一の部材で支持することができるレンズ鏡筒の駆動部構造を得る。【解決手段】モータによって回転駆動されるギヤ列と、モータの回転方向と回転角を検出するための一対のＰＩセンサを、ハウジングに固定するレンズ鏡筒の駆動部構造において、ギヤ列を支持するギヤ蓋と、一対のＰＩセンサを支持するＰＩ押えを、可撓ヒンジで接続した単一の樹脂材料の成形品から構成した。【選択図】図１
2014106456.tif 000002
【特許請求の範囲】
【請求項１】
駆動環を回転自在に支持したハウジングに、該駆動環を回転駆動するモータとギヤ列、及び上記モータの回転軸の回転方向と回転角を検出するための一対のＰＩのＰＩセンサを支持するレンズ鏡筒の駆動部構造において、
上記ギヤ列は、光軸と平行な回転軸を有するギヤを含み、該ギヤの回転軸の一端部がハウジングに支持され、他端部がハウジングに固定されるギヤ蓋に支持されていること、
上記モータ回転軸には、上記ギヤ列中の入力はすば歯車と噛み合うウォームと、ＰＩの遮光羽根が固定されていること、
上記ハウジングは、上記モータ回転軸の突出穴を有し該モータ回転軸と直交する、上記モータの本体を固定するモータ固定壁、及び該モータ固定壁のモータ本体とは反対側に位置するウォーム挿入開口とＰＩ遮光羽根挿入開口を有すること、
上記モータ固定壁には、上記ウォーム挿入開口とＰＩ遮光羽根挿入開口からモータのウォームとＰＩ遮光羽根を挿入するとき、上記ギヤ列の回転軸と平行な方向と直交する方向からモータ回転軸を挿入する、上記モータ回転軸の突出穴と連通するスリットが形成されていること、
上記ハウジングには、上記ＰＩ遮光羽根挿入開口から挿入したＰＩ遮光羽根を挟む上記一対のＰＩセンサの支持部が形成されていること、
上記一対のＰＩセンサ支持部に支持したＰＩセンサをハウジングとの間に挟着するＰＩ押えを有すること、及び
上記ギヤ蓋とＰＩ押えは、樹脂材料の一体成形品からなり、可撓ヒンジを介して互いに連結されたリビングヒンジ蓋部材から構成されていること、
を特徴とするレンズ鏡筒の駆動部構造。
【請求項２】
請求項１記載のレンズ鏡筒の駆動部構造において、上記リビングヒンジ蓋部材のギヤ蓋とＰＩ押えはそれぞれ、その外面に平面部を有し、ハウジングに対する固定状態で上記両平面部が略直角をなしているレンズ鏡筒の駆動部構造。
【請求項３】
請求項１または２記載のレンズ鏡筒の駆動部構造において、上記リビングヒンジ蓋部材のギヤ蓋は固定ねじでハウジングに固定されているレンズ鏡筒の駆動部構造。
【請求項４】
請求項１ないし３のいずれか１項記載のレンズ鏡筒の駆動部構造において、上記リビングヒンジ蓋部材のＰＩ押えは、該ＰＩ押えとハウジングの一方と他方に形成した互いに係合する係止凹部と係止突起で固定されているレンズ鏡筒の駆動部構造。
【請求項５】
請求項１ないし４のいずれか１項記載のレンズ鏡筒の駆動部構造において、ハウジングの上記モータ固定壁には、上記モータ本体を固定する一対の固定ねじ挿入穴と、モータ回転軸の上記突出穴が上記ギヤ列のはすば歯車の回転軸と平行な方向に並べて形成されているレンズ鏡筒の駆動部構造。
【請求項６】
請求項１ないし５のいずれか１項記載のレンズ鏡筒の駆動部構造において、上記一対のＰＩセンサは、モータ回転軸とスリット中心を通る平面に関し対称に配置されているレンズ鏡筒の駆動部構造。
【請求項７】
請求項１ないし６のいずれか１項記載のレンズ鏡筒の駆動部構造において、上記ウォーム挿入開口とＰＩ遮光羽根挿入開口は、ハウジングの光軸平行面に開口しているレンズ鏡筒の駆動部構造。
【請求項８】
請求項１ないし７のいずれか１項記載のレンズ鏡筒の駆動部構造において、上記ハウジングは、上記ギヤ列の軸の一端部を支持する光軸直交平面部分を有するギヤ列支持壁、このギヤ列支持壁及びモータ回転軸と直交する、上記モータの本体を固定するモータ固定壁、及び該モータ固定壁のモータ本体とは反対側に位置するウォーム挿入開口とＰＩ遮光羽根挿入開口を有する光軸平行面を備えているレンズ鏡筒の駆動部構造。
【請求項９】
請求項８記載のレンズ鏡筒の駆動部構造において、上記ハウジングは、上記モータ固定壁のモータ本体とは反対側に、スリットの両外側に位置させて、ＰＩ遮光羽根を挟む一対のＰＩセンサ支持部が形成されているレンズ鏡筒の駆動部構造。
【発明の詳細な説明】
【技術分野】
【０００１】
本発明は、レンズ鏡筒に関し、特にモータを含む駆動部の構造に関する。
【背景技術】
【０００２】
コンパクトカメラのレンズ鏡筒では、ハウジングに、光軸を中心に回転駆動される駆動環（ズーム環）、この駆動環のギヤに噛み合うギヤ列、該ギヤ列の駆動モータ、及びモータの回転方向及び回転角（量）を検出するフォトインタラプタ（ＰＩ）を支持している。ＰＩは、モータの回転軸に固定する遮光羽根と、モータの回転方向と回転角を検出するために、モータ回転軸中心に関し所定の間隔をなして配置する一対のＰＩセンサから構成される。ギヤ列は、その回転軸を駆動環ギヤの回転軸（光軸）と平行な方向に向けて配列し、その入力側のはすば歯車（ウォームホイル）をモータの回転軸に設けたウォームと噛み合わせている。モータの回転軸は、光軸直交平面内に位置するように配置され、一対のＰＩセンサはフレキシブル基板に固定されてハウジングに支持される。
【先行技術文献】
【特許文献】
【０００３】
【特許文献１】特開平１０-１３４３８７号公報
【特許文献２】特開２００６-０１１１８７号公報
【特許文献３】特開２００６-２５１８１８号公報
【特許文献４】特開２００８-０３９８９５号公報
【特許文献５】特開２００９-０５８６２９号公報
【発明の概要】
【発明が解決しようとする課題】
【０００４】
このようなレンズ鏡筒の駆動部構造では、モータを固定するハウジングに対して、ギヤ列を支持し、一対のＰＩセンサを所定位置に配置するための構造を如何に簡易に実現するかが技術課題である。本発明は、特に、モータによって回転駆動されるギヤ列と、モータの回転軸の回転方向と回転角を検出するための一対のＰＩセンサを、ハウジングに対して固定される単一の部材で支持することができるレンズ鏡筒の駆動部構造を得ることを目的とする。
【課題を解決するための手段】
【０００５】
本発明は、駆動環を回転自在に支持したハウジングに、該駆動環を回転駆動するモータとギヤ列、及び上記モータの回転軸の回転方向と回転角を検出するための一対のＰＩセンサを支持するレンズ鏡筒の駆動部構造であって、上記ギヤ列は、光軸と平行な回転軸を有するギヤを含み、該ギヤの回転軸の一端部がハウジングに支持され、他端部がハウジングに固定されるギヤ蓋に支持されていること、上記モータ回転軸には、上記ギヤ列中の入力はすば歯車と噛み合うウォームと、ＰＩの遮光羽根が固定されていること、上記ハウジングは、上記モータ回転軸の突出穴を有し該モータ回転軸と直交する、上記モータの本体を固定するモータ固定壁、及び該モータ固定壁のモータ本体とは反対側に位置するウォーム挿入開口とＰＩ遮光羽根挿入開口を有すること、上記モータ固定壁には、上記ウォーム挿入開口とＰＩ遮光羽根挿入開口からモータのウォームとＰＩ遮光羽根を挿入するとき、上記ギヤ列の回転軸と平行な方向と直交する方向からモータ回転軸を挿入する、上記モータ回転軸の突出穴と連通するスリットが形成されていること、上記ハウジングには、上記ＰＩ遮光羽根挿入開口から挿入したＰＩ遮光羽根を挟む上記一対のＰＩセンサの支持部が形成されていること、上記一対のＰＩセンサ支持部に支持したＰＩセンサをハウジングとの間に挟着するＰＩ押えを有すること、及び上記ギヤ蓋とＰＩ押えは、樹脂材料の一体成形品からなり、可撓ヒンジを介して互いに連結されたリビングヒンジ蓋部材から構成されていること、を特徴とする。
【０００６】
上記リビングヒンジ蓋部材のギヤ蓋とＰＩ押えはそれぞれ、その外面に平面部を有し、ハウジングに対する固定状態で上記両平面部が略直角をなしていることが好ましい。
【０００７】
上記リビングヒンジ蓋部材のギヤ蓋は、固定ねじでハウジングに固定することができる。
【０００８】
上記リビングヒンジ蓋部材のＰＩ押えは、該ＰＩ押えとハウジングの一方と他方に形成した互いに係合する係止凹部と係止突起で固定することが好ましい。
【０００９】
ハウジングの上記モータ固定壁には、上記モータ本体を固定する一対の固定ねじ挿入穴と、モータ回転軸の上記突出穴を、上記ギヤ列のはすば歯車の回転軸と平行な方向に並べて形成することが実際的である。
【００１０】
上記一対のＰＩセンサは、モータ回転軸とスリット中心を通る平面に関し対称に配置することが好ましい。
【００１１】
ウォーム挿入開口とＰＩ遮光羽根挿入開口は、ハウジングの光軸平行面に開口させることができる。
【００１２】
上記ハウジングは、上記ギヤ列の軸の一端部を支持する光軸直交平面部分を有するギヤ列支持壁、このギヤ列支持壁及びモータ回転軸と直交する、上記モータの本体を固定するモータ固定壁、及び該モータ固定壁のモータ本体とは反対側に位置するウォーム挿入開口とＰＩ遮光羽根挿入開口を有する光軸平行面を備えることできる。
【００１３】
上記ハウジングは、上記モータ固定壁のモータ本体とは反対側に、スリットの両外側に位置させて、ＰＩ遮光羽根を挟む一対のＰＩセンサ支持部を備えることができる。
【発明の効果】
【００１４】
本発明によれば、モータによって回転駆動されるギヤ列と、モータの回転方向と回転角を検出するための一対のＰＩセンサを、ハウジングに固定するレンズ鏡筒の駆動部構造において、ギヤ列を支持するギヤ蓋と、一対のＰＩセンサを支持するＰＩ押えを、可撓ヒンジで接続した単一の樹脂材料の成形品から構成したので、部品点数を削減し、組立コストを低減することができる。
【図面の簡単な説明】
【００１５】
【図１】本発明のレンズ鏡筒の駆動部構造を適用したズームレンズ鏡筒の使用状態を示す斜視図である。
【図２】同ズームレンズ鏡筒の駆動部構造の（Ａ）はズームレンズ及びギヤ列を示す正面図、（Ｂ）はズームレンズ及びギヤ列中の入力はずば歯車を示す正面図である。
【図３】同ズームレンズ鏡筒の駆動部構造部分を、モータ固定壁を光軸Ｏに沿って切断して示す一部切断底面図である。
【図４】同ズームレンズ鏡筒の駆動部構造をギヤ蓋及びＰＩ押えを装着する前の状態で示す斜視図である。
【図５】同ズームレンズ鏡筒の駆動部構造をギヤ蓋及びＰＩ押えを取り外し、フレキシブル基板を不可視化した状態で示す斜視図である。
【図６】同ズームレンズ鏡筒の駆動部構造の、（Ａ）、（Ｂ）はリビングヒンジ蓋部材の成形完了状態を表裏から見た斜視図、（Ｃ）、（Ｄ）は、リビングヒンジ蓋部材を駆動部支持部に取り付けるために、ギヤ蓋とＰＩ押えを、可撓ヒンジを介して直角に曲折した状態を表裏から見た斜視図である。
【図７】同ズームレンズ鏡筒の駆動部構造のズーミングモータを示す、（Ａ）は斜視図、（Ｂ）は正面図である。
【図８】（Ａ）、（Ｂ）は、同ズームレンズ鏡筒の駆動部構造における一対のＰＩセンサの異なる配置例を示す図である。
【発明を実施するための形態】
【００１６】
図１ないし図５は、本発明によるレンズ鏡筒の駆動部構造の一実施形態を示している。鏡筒ハウジング（ブロック）１０は、合成樹脂材料の成形品からなるもので、円筒状部１１の外側に、駆動部支持部１２が形成されている。円筒状部１１は、その内周に、駆動環（回転環）１３及び該駆動環１３の回転によって、回転しながらあるいは回転を拘束された状態で光軸Ｏ（円筒状部１１の軸心）方向に進退移動する複数のレンズ鏡筒１３ａ、１３ｂ及びレンズ群（第１レンズ群Ｌの図示）が支持されている。これらレンズ群はズーミングレンズ群であり、駆動環１３の回転によって収納位置と撮影位置の間、及び撮影位置内の短焦点距離端と長焦点距離端の間を駆動される。このようなズーミング機構は周知であり、本発明はその構成を問うものではないので、具体例の図示を省略する。
【００１７】
駆動部支持部１２は、ズーミングモータ２１と、ズーミングモータ２１の回転を駆動環１３に伝達するギヤ列２２と、ズーミングモータ２１の回転方向と回転角（量）を検出するＰＩ（フォトインタラプタ）の一対のＰＩセンサ２３を支持するもので、概ね光軸Ｏを中心とする４象限のうちの１象限内に設けられている（図２（Ａ）、図３参照）。駆動部支持部１２は、円筒状部１１の外周に径方向に膨出しており、その存在領域は、円筒状部１１の外周であって、光軸Ｏと直交する光軸方向前後に離間した仮想の第一、第二の光軸直交面Ｓ１、Ｓ２（図３、図４）、この第一、第二の光軸直交面Ｓ１、Ｓ２と直交し、かつ互いに直交する第一、第二の光軸平行面（光軸Ｏと平行な面）Ｓ３、Ｓ４（図２（Ａ）、図３、図４）に囲まれた領域である。
【００１８】
駆動部支持部１２には、ズーミングモータ２１を支持するモータ固定壁１４と、ギヤ列２２を支持するギヤ列支持壁１５と、一対のＰＩセンサ２３を支持する一対のＰＩセンサ支持部１６が設けられている。モータ固定壁１４は、第一、第二の光軸直交面Ｓ１、Ｓ２と直交し、第一の光軸平行面Ｓ３と直交し、第二の光軸平行面Ｓ４と平行（光軸平行面）をなしている。モータ固定壁１４には、モータ回転軸の突出穴１４ａと、第一、第二の光軸直交面Ｓ１、Ｓ２の中間に位置して突出穴１４ａに連通するスリット１４ｂが形成されている。モータ固定壁１４には、第一、第二の光軸直交面Ｓ１、Ｓ２と直交する方向であって、突出穴１４ａを挟んでその光軸方向の前後に位置させて、一対のズーミングモータ２１の固定ねじ挿入穴１４ｃが形成されている。ズーミングモータ２１は、固定ねじ挿入穴１４ｃに挿通した固定ねじ１４ｄによって、モータ固定壁１４に固定される。
【００１９】
ズーミングモータ２１には、図２、図７に示すように、そのモータ回転軸２１ａに、モータ本体２１ｂ側から順に、ＰＩ遮光羽根２１ｃと、ウォーム２１ｄが固定されている。ＰＩ遮光羽根２１ｃは、単数あるいはモータ回転軸２１ａを中心として等間隔に複数の遮光体を有するもので、一対のＰＩセンサ２３によって、モータ回転軸２１ａの回転方向と回転角を検出することができる。図示実施形態のＰＩ遮光羽根２１ｃは１２０゜間隔の３枚の遮光体を有し、一対のＰＩセンサ２３はモータ回転軸２１ａの中心に関し９０゜間隔で配置してある。一対のＰＩセンサ２３の配置は、動作時に一対のＰＩセンサ２３から出力される信号が互いに同期しない間隔であればよく、９０゜間隔に限定されない。このようなＰＩを使ったズーミング位置検出機構自体は周知である。モータ回転軸２１ａは、光軸Ｏと直交する面（第一、第二の光軸直交面Ｓ１、Ｓ２と平行な面）内に配置されており、延長方向は、光軸Ｏを中心とする円弧の接線方向に向いている。
【００２０】
駆動部支持部１２には、モータ固定壁１４のモータ本体２１ｂの反対側に位置させて、ＰＩ遮光羽根挿入開口１７とウォーム挿入開口１８が形成されている。このＰＩ遮光羽根挿入開口１７とウォーム挿入開口１８は、第一の光軸平行面Ｓ３に開口しており、突出穴１４ａと一列に並んでいる。ズーミングモータ２１のモータ回転軸２１ａは、モータ固定壁１４のスリット１４ｂから突出穴１４ａ内に挿入することができ、このとき同時に、ＰＩ遮光羽根２１ｃがＰＩ遮光羽根挿入開口１７に挿入され、ウォーム２１ｄがウォーム挿入開口１８に挿入される。ズーミングモータ２１のモータ本体２１ｂは、このように、モータ回転軸２１ａを突出穴１４ａに、ＰＩ遮光羽根２１ｃをＰＩ遮光羽根挿入開口１７に、ウォーム２１ｄをウォーム挿入開口１８に挿入した状態において、固定ねじ挿入穴１４ｃに挿通した固定ねじ１４ｄをズーミングモータ２１の雌ねじ穴に螺合して、モータ固定壁１４に固定される。
【００２１】
駆動部支持部１２のギヤ列支持壁１５は、光軸Ｏと直交する光軸直交平面部分１５ａが、ギヤ列２２の光軸Ｏと平行をなす各回転軸の一端部を回転可能に支持する（図２、図５）。すなわち、ギヤ列２２は、複数の互いに噛み合うギヤ列からなっており、その最終歯車が円筒状部１１内に回転自在に支持されている駆動環１３に形成したギヤ（図示しない外歯ギヤまたは内歯ギヤ）と噛み合う。一方、ギヤ列２２の入口側のギヤは、図２に示すように、ズーミングモータ２１のウォーム２１ｄと噛み合うはすば歯車２２ａを有している。このはすば歯車２２ａは、上述のように、ズーミングモータ２１のモータ本体２１ｂをモータ固定壁１４のスリット１４ｂから突出穴１４ａ内に挿入する際、ウォーム挿入開口１８から挿入されるウォーム２１ｄと噛み合う。ウォーム２１ｄは、はすば歯車２２ａの回転軸と直交する方向からはすば歯車２２ａに接近し、噛み合う。
【００２２】
組立時に発生するズーミングモータ２１の傾きは、ズーミングモータ２１をモータ固定壁１４に固定する固定ねじ１４ｄ（２箇所）の組み込み順序や締め付けトルク不均等が原因で発生するモータ固定壁１４の変形に起因する、と想定される。本実施形態では、固定ねじ挿入穴１４ｃと固定ねじ１４ｄは、突出穴１４ａを挟んでギヤ列２２の回転軸と平行な方向に離反し、モータ回転軸２１ａと平行な方向を向いているため（図３）、ズーミングモータ２１の傾きがギヤ列２２の回転軸と平行方向に生じるような変形となる。そのため、仮にズーミングモータ２１に傾きが生じたとしても、その傾きは、ギヤ列２２の回転軸と平行方向に生じるため、ウォーム２１ｄとはすば歯車２２ａとの噛合異常が生じる可能性が少ない。この利点は、ズーミングモータ２１の傾きがギヤ列２２の回転軸と直交する方向に生じる場合と比較すると容易に理解できる。ギヤ列２２の回転軸と直交する方向の傾きは、ウォーム２１ｄとはすば歯車２２ａを離間または接近させる方向に作用し、噛合異常となりやすい。
【００２３】
駆動部支持部１２の一対のＰＩセンサ支持部１６はそれぞれ、ズーミングモータ２１のＰＩ遮光羽根２１ｃと一緒にＰＩを構成するＰＩセンサ２３を支持する。ＰＩセンサ２３は、ズーミングモータ２１のＰＩ遮光羽根２１ｃを跨ぐコ字状断面を有していて、モータ本体２１ｂの軸線方向から見たときには矩形（正面矩形）をなしており、ＦＰＣ基板２４に予め固定されている。ＰＩセンサ支持部１６は、この正面矩形のＰＩセンサ２３の直角をなす二面に、ＰＩ遮光羽根２１ｃの軸方向の前後においてそれぞれ当接する直交支持面１６ａと１６ｂを有している（図３）。一対のＰＩセンサ支持部１６は、モータ回転軸２１ａの中心及びスリット１４ｂの中心を通り、第一、第二の光軸直交面Ｓ１、Ｓ２の間に平行に位置する対称面Ｓ１２に関し対称に（上下に、スリット１４ｂの両外側に）形成されていて、一対のＰＩセンサ２３が、モータ回転軸２１ａの中心に関し９０゜間隔をなすように配置されている（図３、図８（Ａ））。
【００２４】
一対のＰＩセンサ２３は、対称面Ｓ１２の一方の側（上方）にモータ回転軸２１ａの中心を通り対称面Ｓ１２と直交する面に関し対称をなすように配置することも可能であるが、この配置は、一対のＰＩセンサ２３の一方はギヤ蓋３１により、他方はＰＩ押え３２により押し付け固定されることになる。ギヤ蓋３１はギヤ列２２の軸受なので、ギヤ蓋３１にＰＩ押えの役目も持たせてしまうと、軸受としての精度が低下する。ギヤ蓋３１は、ギヤ列２２の回転軸方向のクリアランスを規制する部品であり、クリアランスが過小だと回転困難になり、過大だと騒音原因になるので、相当程度の精度が要求される。一方で、ＰＩ押え３２はＰＩセンサ２３の寸法公差、ＦＰＣ基板２４の厚み公差、および半田実装する際に生じるＰＩセンサ２３とＦＰＣ基板２４とのクリアランス等を見込むため、寸法のバラつきを配慮した設計が必要になる。このように、ギヤ蓋３１がＰＩ押えも兼ねる配置は、精度、許容誤差、設計の自由度において不利になる。
【００２５】
一対のＰＩセンサ２３をその一方が対称面Ｓ１２と交差するように配置しようとすると（図８（Ｂ））、一方のＰＩセンサ２３の配置空間はスリット１４ｂ（モータ回転軸２１ａ、ＰＩ遮光羽根２１ｃ及びウォーム２１ｄを挿入するための開口）内に位置するため、駆動部支持部１２に一方のＰＩセンサ２３を支持するＰＩセンサ支持部を設ける部分を確保することが困難になる。さらにこの図８（Ｂ）の配置は、図８(Ａ)に示した実施形態の配置に比して投影面積（二点鎖線で囲んだ方形領域）が大きくなって小型化において不利になる。
【００２６】
以上の駆動部支持部１２には、ギヤ列支持壁１５上にギヤ列２２の回転軸の一端部を支持（当接）し、ＰＩセンサ支持部１６に、ＦＰＣ基板２４に固定されたＰＩセンサ２３を支持（当接）させた状態において、図６に単体形状を示すリビングヒンジ蓋部材３０が固定され、ギヤ列２２とＰＩセンサ２３を駆動部支持部１２に支持する。リビングヒンジ蓋部材３０は、合成樹脂材料の成形品からなるもので、ギヤ蓋３１とＰＩ押え３２を、可撓ヒンジ３３を介して互いに連結してなっている。ギヤ蓋３１は、駆動部支持部１２のギヤ列支持壁１５との間にギヤ列２２を支持する（ギヤ列２２の回転軸の他端部を支持する）軸受として機能するものであり、ＰＩ押え３２は、ＰＩセンサ２３（ＦＰＣ基板２４）を駆動部支持部１２のＰＩセンサ支持部１６に押し付けて固定するものである。リビングヒンジ蓋部材３０は、可撓ヒンジ３３によってギヤ蓋３１とＰＩ押え３２を図６（Ａ）、（Ｂ）の平面状態と、同（Ｃ）、（Ｄ）の折曲状態とに姿勢変換できる柔軟性（靱性）を備えている。
【００２７】
図６の（Ａ）、（Ｂ）は、リビングヒンジ蓋部材３０の成形完了状態を表裏から見たもので、同（Ｃ）、（Ｄ）は、リビングヒンジ蓋部材３０を駆動部支持部１２に取り付けるために、ギヤ蓋３１とＰＩ押え３２を、可撓ヒンジ３３を介して直角に曲折した状態を表裏から見たものである。ギヤ蓋３１、ＰＩ押え３２及び可撓ヒンジ３３の形状は、図６（Ａ）、（Ｂ）に示す成形を上下の成形型で行うことができるように定められている。ギヤ蓋３１とＰＩ押え３２は、その外面に平面部３１ａと３２ａを有し、ギヤ蓋３１の内面には、ギヤ列２２の各ギヤの回転軸の他端部を支持する円形凹部３１ｂが形成されている。また、ギヤ蓋３１には、駆動部支持部１２の雌ねじ穴１２ａに螺合される固定ねじ３４の挿通穴３１ｃと、挿通穴３１ｃの座ぐり凹部３１ｄと、駆動部支持部１２に突設されたダボ１２ｃ（図３、図４）に嵌合されるダボ穴３１ｅと、駆動部支持部１２に突設された係止突起１２ｄ（図２（Ａ））に係合される係止凹部３１ｇを有する係止リブ３１ｆが形成されている。
【００２８】
ＰＩ押え３２は、その内面に、一対のＰＩセンサ２３をＦＰＣ基板２４の上から駆動部支持部１２の一対のＰＩセンサ支持部１６に挟着する支持斜面３２ｂを有しており、この支持斜面３２ｂには、部分的に支持面圧を高める突条３２ｃが形成されている。また、ＰＩ押え３２には、一対の支持斜面３２ｂの外側（上下）に位置させて、一対の係止リブ３２ｄが突出形成され、この係止リブ３２ｄに、駆動部支持部１２の一対の係止突起１２ｂに係合する係止凹部３２ｅが形成されている。
【００２９】
以上のリビングヒンジ蓋部材３０は、駆動部支持部１２のギヤ列支持壁１５上にギヤ列２２の回転軸の一端部を支持（当接）した状態において、そのギヤ蓋３１をギヤ列２２の回転軸の他端部に被せ、その円形凹部３１ｂに同他端部を支持する。その際、ギヤ蓋３１のダボ穴３１ｅを駆動部支持部１２のダボ１２ｃに嵌合し、係止リブ３１ｆの係止凹部３１ｇを係止突起１２ｄに嵌める。また駆動部支持部１２の一対のＰＩセンサ支持部１６上に、ＦＰＣ基板２４に固定されたＰＩセンサ２３を支持（当接）させた状態において、ＰＩ押え３２の支持斜面３２ｂを駆動部支持部１２の係止突起１２ｂ上に被せ、係止リブ３２ｄの係止凹部３２ｅを係止突起１２ｂに嵌める。挿通穴３１ｃに挿通した固定ねじ３４を駆動部支持部１２の雌ねじ穴１２ａに螺合させてリビングヒンジ蓋部材３０の駆動部支持部１２への固定を終了する。リビングヒンジ蓋部材３０は、駆動部支持部１２への固定状態で、ギヤ蓋３１とＰＩ押え３２の外面の平面部３１ａと３２ａが直交する（平面部３１ａは第一の光軸直交面Ｓ１と平行をなし、平面部３２ａは第一の光軸平行面Ｓ３と平行をなす）。
【００３０】
ギヤ列２２は、ズーミングモータ２１の動力を駆動環１３に伝える動力伝達系であり、特に入力側のはすば歯車２２ａには、ウォーム２１ｄとの噛合により軸方向力が加わる。本実施形態では、リビングヒンジ蓋部材３０のギヤ蓋３１を係止凹部３１ｇと係止突起１２ｄの係合に加えて固定ねじ３４で強固に駆動部支持部１２に固定することにより、この軸方向力に対抗することができる。一方、ＰＩセンサ２３には、回転力が作用することはなく（ＰＩセンサ２３とＰＩ遮光羽根２１ｃは非接触であり）、係止凹部３２ｅと係止突起１２ｂの係合で十分にＰＩセンサ２３を駆動部支持部１２に支持することができる。
【００３１】
リビングヒンジ蓋部材３０の可撓ヒンジ３３は、リビングヒンジ蓋部材３０を駆動部支持部１２に結合した後、切断してもよい。
【００３２】
以上の本実施形態は、ズーミングモータ２１によって回転駆動されるギヤ列２２と、ズーミングモータ２１のモータ回転軸２１ａの回転方向と回転角を検出するための一対のＰＩセンサ２３を、駆動部支持部１２に固定するレンズ鏡筒の駆動部構造において、ギヤ列２２を支持するギヤ蓋３１と、一対のＰＩセンサ２３を支持するＰＩ押え３２を、可撓ヒンジ３３で接続した単一の樹脂材料のリビングヒンジ蓋部材３０から構成したので、部品点数を削減し、組立コストを低減することができる。
【符号の説明】
【００３３】
１０  鏡筒ハウジング
１１  円筒状部
１２  駆動部支持部（ハウジング）
１２ａ  雌ねじ穴
１２ｂ  係止突起
１２ｃ  ボス
１２ｄ  係止突起
１３  駆動環
１４  モータ固定壁
１４ａ  突出穴
１４ｂ  スリット
１４ｃ  固定ねじ挿入穴
１５  ギヤ列支持壁
１５ａ  光軸直交平面部分
１６  ＰＩセンサ支持部
１６ａ  １６ｂ  直交支持面
１７  ＰＩ遮光羽根挿入開口
１８  ウォーム挿入開口
２１  ズーミングモータ（モータ）
２１ａ  モータ回転軸（モータの回転軸）
２１ｂ  モータ本体
２１ｃ  ＰＩ遮光羽根
２１ｄ  ウォーム
２２  ギヤ列
２２ａ  はすば歯車
２３  ＰＩセンサ
２４  ＦＰＣ基板
３０  リビングヒンジ蓋部材（成形品）
３１  ギヤ蓋
３１ａ  平面部
３１ｂ  円形凹部
３１ｃ  挿通穴
３１ｄ  凹部
３１ｅ  ボス穴
３１ｆ  係止リブ
３１ｇ  係止凹部
３２  ＰＩ押え
３２ａ  平面部
３２ｂ  支持斜面
３２ｃ  突条
３２ｄ  係止リブ
３２ｅ  係止凹部
３３  可撓ヒンジ
３４  固定ねじ
Ｏ  光軸
Ｓ１  第一の光軸直交面
Ｓ２  第二の光軸直交面
Ｓ３  第一の光軸平行面
Ｓ４  第二の光軸平行面
Ｓ１２  対称面
【図１】
2014106456.tif 000003
【図２】
2014106456.tif 000004
【図３】
2014106456.tif 000005
【図４】
2014106456.tif 000006
【図５】
2014106456.tif 000007
【図６】
2014106456.tif 000008
【図７】
2014106456.tif 000009
【図８】
2014106456.tif 000010